(57)【要約】【課題】通信回線を介して受信した画像情報により示される画像が、正常に画像形成媒体に形成されないまま放置されることを防止する画像形成装置及びプログラムを得る。【解決手段】ＦＡＸ送受信部８４により通信回線８３を介して画像情報を受信した後に、ＣＰＵ７０は、感光体ドラムに試験画像が形成されるように画像形成制御部８０を制御し、ＡＤＣセンサ２７によって試験画像が形成されないことが検出された場合に、画像が形成されないことを報知する報知処理、及び画像の形成を中止する中止処理を実行する。【選択図】図３
2009303028.tif 000002
【特許請求の範囲】
【請求項１】
画像情報を、通信回線を介して受信する受信手段と、
画像形成媒体に画像を形成する画像形成手段と、
前記受信手段が前記画像情報を受信した後に、前記画像形成媒体に所定画像が形成されるように前記画像形成手段を制御する制御手段と、
前記画像形成手段によって前記画像形成媒体に前記所定画像が形成されたか否かを検出する検出手段と、
前記検出手段によって前記所定画像が形成されないことが検出された場合に、画像が形成されないことを報知する報知処理、及び画像の形成を中止する中止処理の少なくとも一方を実行する処理実行手段と、
を備えた画像形成装置。
【請求項２】
表示手段を更に備え、
前記処理実行手段は、前記報知処理として、前記表示手段に前記画像が形成されないことを表示させる処理を実行する請求項１記載の画像形成装置。
【請求項３】
前記所定画像は、予め定められた試験画像である請求項１又は請求項２記載の画像形成装置。
【請求項４】
前記所定画像は、前記受信手段によって受信された前記画像情報により示される画像である請求項１又は請求項２記載の画像形成装置。
【請求項５】
コンピュータに、
画像情報を、通信回線を介して受信する受信ステップと、
前記受信ステップが前記画像情報を受信した後に、画像形成媒体に画像を形成する画像形成手段によって所定画像を前記画像形成媒体に形成する画像形成ステップと、
前記画像形成ステップによって前記画像形成媒体に前記所定画像が形成されたか否かを検出する検出ステップと、
前記検出ステップによって前記所定画像が形成されないことが検出された場合に、画像が形成されないことを報知する報知処理、及び画像の形成を中止する中止処理の少なくとも一方を実行する処理実行ステップと、
を実行させるプログラム。
【発明の詳細な説明】
【技術分野】
【０００１】
本発明は、画像形成装置及びプログラムに関する。
【背景技術】
【０００２】
特許文献１には、ファクシミリデータに基づいて記録用紙に対し印字を実行し、印字結果を許容するとの応答があるまで、ファクシミリデータを消去しないことで、印字不良時の不都合を抑制する技術が開示されている。
【０００３】
また、特許文献２には、ビデオコントローラによって生成された画像信号を、画像書き出しのタイミング制御等を行うシーケンスコントローラを介さずに、レーザダイオードを駆動させる駆動回路へ送信することで、レーザプリンタ内の基板間の接続を簡素化する技術が開示されている。
【０００４】
さらに、特許文献３には、画像信号を生成するビデオコントロールユニットからの画像データを第１の伝送ラインを介して光源駆動ユニットへ伝送する画像形成装置において、光源の点灯タイミングを制御するシーケンスコントロールユニットによって生成される、光源を強制点灯させるための強制点灯信号、及び光源を強制消灯させるための強制消灯信号を、上記ビデオコントロールユニット及び上記第１の伝送ラインを介して光源駆動ユニットへ伝送することで、第１の伝送ラインに断線等の不具合が発生しているか否かを監視する技術が開示されている。
【特許文献１】特開２００７−１３０８８０号公報
【特許文献２】特開平０６−１６６２０７号公報
【特許文献３】特開２００７−３２０１６０号公報
【発明の開示】
【発明が解決しようとする課題】
【０００５】
本発明は、通信回線を介して受信した画像情報により示される画像が、正常に画像形成媒体に形成されないまま放置されることを防止することのできる画像形成装置及びプログラムを提供することを目的とする。
【課題を解決するための手段】
【０００６】
上記目的を達成するために、請求項１に記載の発明は、画像情報を、通信回線を介して受信する受信手段と、画像形成媒体に画像を形成する画像形成手段と、前記受信手段が前記画像情報を受信した後に、前記画像形成媒体に所定画像が形成されるように前記画像形成手段を制御する制御手段と、前記画像形成手段によって前記画像形成媒体に前記所定画像が形成されたか否かを検出する検出手段と、前記検出手段によって前記所定画像が形成されないことが検出された場合に、画像が形成されないことを報知する報知処理、及び画像の形成を中止する中止処理の少なくとも一方を実行する処理実行手段と、を備えている。
【０００７】
また、請求項２に記載の発明は、請求項１に記載の発明において、表示手段を更に備え、前記処理実行手段が、前記報知処理として、前記表示手段に前記画像が形成されないことを表示させる処理を実行するものである。
【０００８】
また、請求項３に記載の発明は、請求項１又は請求項２に記載の発明において、前記所定画像を、予め定められた試験画像とするものである。
【０００９】
また、請求項４に記載の発明は、請求項１又は請求項２に記載の発明において、前記所定画像を、前記受信手段によって受信された前記画像情報により示される画像とするものである。
【００１０】
一方、上記目的を達成するために、請求項５に記載の発明は、コンピュータに、画像情報を、通信回線を介して受信する受信ステップと、前記受信ステップが前記画像情報を受信した後に、画像形成媒体に画像を形成する画像形成手段によって所定画像を前記画像形成媒体に形成する画像形成ステップと、前記画像形成ステップによって前記画像形成媒体に前記所定画像が形成されたか否かを検出する検出ステップと、前記検出ステップによって前記所定画像が形成されないことが検出された場合に、画像が形成されないことを報知する報知処理、及び画像の形成を中止する中止処理の少なくとも一方を実行する処理実行ステップと、を実行させるものである。
【発明の効果】
【００１１】
請求項１及び請求項５に記載の発明によれば、通信回線を介して受信した画像情報により示される画像が、正常に画像形成媒体に形成されないまま放置されることを防止することができる、という優れた効果を有する。
【００１２】
また、請求項２に記載の発明によれば、本発明を適用しない場合に比較して、より確実に、通信回線を介して受信した画像情報により示される画像が、正常に画像形成媒体に形成されないまま放置されることを、防止することができる、という優れた効果を有する。
【００１３】
また、請求項３に記載の発明によれば、本発明を適用しない場合に比較して、画像の検出精度を、より高めることができる、という優れた効果を有する。
【００１４】
更に、請求項４に記載の発明によれば、本発明を適用しない場合に比較して、より簡易に、通信回線を介して受信した画像情報により示される画像が、正常に画像形成媒体に形成されないまま放置されることを防止することができる、という優れた効果を有する。
【発明を実施するための最良の形態】
【００１５】
［第１の実施の形態］
以下、図面を参照して、本発明の実施の形態について詳細に説明する。なお、本実施の形態では、本発明を、ファクシミリ機能（以下、「ＦＡＸ機能」という。）を有する画像形成装置に適用した場合について説明する。
【００１６】
図１には、本実施の形態に係る画像形成装置１０の全体構成が示されている。
【００１７】
同図に示すように、画像形成装置１０は、所定の読み取り位置に置かれた原稿から画像を読み取り、当該画像を示す画像情報を取得するスキャナ１２と、画像情報により示される画像を記録用紙Ｐに形成する画像形成処理を行う画像形成エンジン部１４と、画像形成エンジン部１４へ記録用紙Ｐを供給する給紙部１６と、を備えている。
【００１８】
画像形成エンジン部１４は、感光体ドラム２０を備えており、感光体ドラム２０は、回転軸を有し、当該回転軸を中心として矢印Ａ方向に回転した状態で画像情報により示されるトナー像が形成される。
【００１９】
感光体ドラム２０の上方には、帯電器２２が配置されている。帯電器２２は、感光体ドラム２０の表面に接触する帯電ロール２２Ａを備え、当該帯電ロール２２Ａによって、直流電圧に交流電圧が重畳された重畳電圧により感光体ドラム２０の表面を帯電させる。
【００２０】
感光体ドラム２０の帯電ロール２２Ａとの接触位置よりも回転方向下流側には、光走査装置２４が配置されている。光走査装置２４は、光ビームを照射するレーザダイオードを備え、回転多面鏡によって感光体ドラム２０の回転軸の軸線方向に沿って上記光ビームを走査することで、帯電器２２によって帯電された感光体ドラム２０の表面に画像情報により示される静電潜像を形成する。
【００２１】
感光体ドラム２０の光ビームの走査位置よりも回転方向下流側には、現像器２６が配置されている。現像器２６は、感光体ドラム２０の表面との間隔が所定間隔となるように配置されている現像ローラ２６Ａを備えている。現像器２６は、内部にトナーを貯留しており、現像ローラ２６Ａが回転することにより内部に貯留されたトナーを感光体ドラム２０と対向する位置に搬送し、感光体ドラム２０に形成された静電潜像にトナーを電気的に付着させることにより、感光体ドラム２０に形成された静電潜像を現像してトナー像を形成する。
【００２２】
感光体ドラム２０の現像器２６によって静電潜像が現像される位置よりも回転方向下流側には、ＡＤＣ（Auto Density Control）センサ２７が感光体ドラム２０に対向して配置されている。ＡＤＣセンサ２７は、感光体ドラム２０に形成されたトナー像を検出する。
【００２３】
図２は、本実施の形態に係るＡＤＣセンサ２７の概略構成図である。このＡＤＣセンサ２７は、感光体ドラム２０に対して所定の角度（例えば４５度）で光（検知光）を照射するＬＥＤ（Light Emitting Diode）７２と、不図示のレンズと、レンズを介してトナー像や感光体ドラム２０からの反射光を感光体ドラム２０の表面に対し所定の角度（例えば９０°）で受光するフォトダイオード７４とを備えている。
【００２４】
また、ＡＤＣセンサ２７は、フォトダイオード７４から出力された電流に応じた信号（以下、「検出信号」という。）を後述する画像形成制御部８０に送信する。
【００２５】
さらに、感光体ドラム２０のＡＤＣセンサ２７との対向位置よりも回転方向下流側には、無端状の中間転写ベルト２８が配置されている。この中間転写ベルト２８は、複数のローラ２９に巻掛けられており、感光体ドラム２０の表面に接触するように配置されている。各ローラ２９は、中間転写ベルト２８を感光体ドラム２０の回転方向とは逆方向の同図矢印Ｂ方向に回転させる。
【００２６】
感光体ドラム２０と中間転写ベルト２８とが接触する位置における中間転写ベルト２８に対して感光体ドラム２０と反対側には、中間転写ベルト２８を感光体ドラム２０とで挟持するように転写器３２が配置されている。転写器３２は、各ローラ２９によって回転された状態の中間転写ベルト２８に対して所定のバイアス電圧を印加し、感光体ドラム２０の回転によって中間転写ベルト２８と接触する位置に搬送されるトナー像を、上記所定のバイアス電圧と上記トナー像の電位差によって、中間転写ベルト２８に転写する。
【００２７】
感光体ドラム２０の中間転写ベルト２８との接触位置よりも回転方向下流側にはクリーニング装置３０が配置されている。クリーニング装置３０は、感光体ドラム２０の表面に接触するように配置されているクリーニングブレード３０Ａを備えている。クリーニング装置３０は、トナー像が中間転写ベルト２８に転写された後に、クリーニングブレード３０Ａにより転写後の感光体ドラム２０の表面を摺擦して当該表面に残留する残留トナーを回収すると共に、接触位置に残留トナーの一部を保持し、当該保持した残留トナーによって感光体ドラム２０の表面を研磨することにより表面に付着した放電生成物を除去する。
【００２８】
一方、給紙部１６は、複数の給紙部３４を備えている。各給紙部３４内には記録用紙Ｐが複数枚積層された状態で収容される。
【００２９】
各給紙部３４には、取り出しローラ３６が配置されている。記録用紙Ｐは、取り出しローラ３６が回転することにより給紙部３４から一枚ずつ取り出され、複数のローラ対３８によって搬送経路４０を介して、中間転写ベルト２８からトナー像が転写される転写位置へ搬送される。
【００３０】
当該転写位置には、転写器４８が配置されており、転写位置へ搬送された記録用紙Ｐは、転写器４８によって中間転写ベルト２８上のトナー像が転写される。転写器４８よりも記録用紙Ｐの搬送方向下流側には、２個のローラ５０に巻き掛けられた無端状の搬送ベルト５２が設けられている。トナー像が転写された記録用紙Ｐは、搬送ベルト５２によって定着器５４が配置されている位置に搬送され、定着器５４によってトナー像が加熱定着された後に排紙部６０に排紙される。
【００３１】
また、画像形成装置１０は、両面印刷用の反転経路５６を備えている。反転経路５６は、片面に画像が形成された記録用紙Ｐの表裏を反転する。表裏が反転された記録用紙Ｐは、再び転写位置に搬送されることで、両面に画像が形成される。
【００３２】
図３には、本実施の形態に係る画像形成装置１０の電気系の要部構成が示されている。
【００３３】
画像形成装置１０は、画像形成装置１０全体の動作を司るＣＰＵ（Central Processing Unit）７０、各種プログラムや各種パラメータ、各種テーブル情報等が予め記憶されたＲＯＭ（Read Only Memory）７２、ＣＰＵ７０による各種プログラムの実行時のワークエリア等として用いられるＲＡＭ（Random Access Memory）７４、スキャナ１２で取得された画像情報、後述するＦＡＸ送受信部８４で受信された画像情報、予め定められた試験画像を示す試験画像情報等の画像情報や各種情報を記憶するＨＤＤ（Hard Disk Drive）７６、各種の操作指示が入力される操作ボタンやテンキー、各種のメッセージ等を表示するための表示部が設けられた操作パネル７８を備えている。
【００３４】
なお、本実施の形態に係るＣＰＵ７０は、各画像情報に対して、光走査装置２４による静電潜像の形成が可能となるようにビット・マップ形式への変換、Ｒ（レッド）Ｇ（グリーン）Ｂ（ブルー）色空間からＹＭＣＫ色空間への変換等の画像処理を施す。
【００３５】
また、本実施の形態に係る画像形成装置１０は、上記試験画像として、濃度を一定とした矩形状の試験画像を適用するが、これに限らず、濃度を徐々に変化させた試験画像や、形状が円形、楕円形、三角形、五角形以上の多角形等の試験画像を適用してもよいし、試験画像としてアルファベット、数字等の記号を適用してもよい。
【００３６】
さらに、画像形成装置１０は、光走査装置２４や現像器２６等の画像形成処理に用いられる制御対象と接続され、光走査装置２４の露光量を制御するための制御信号（以下、「光量制御信号」という。）、現像器２６によるトナーの供給量を制御するための制御信号等、各種制御信号を生成して各制御対象に送信することで各制御対象の駆動を制御する画像形成制御部８０、スキャナ１２の駆動を制御するスキャナ制御部８２、通信回線８３（本実施の形態では、公衆電話回線）に接続され、当該通信回線８３を介して接続されたファクシミリ装置との間で画像情報（以下、「ＦＡＸ画像情報」という。）の送信及び受信を行うＦＡＸ送受信部８４、外部の端末装置と接続され、当該端末装置との間で記録用紙Ｐに形成する画像を示す画像情報を含む情報を送受信する外部インタフェース８６を備えている。
【００３７】
なお、本実施の形態に係る画像形成制御部８０は、ＡＤＣセンサ２７と接続され、ＡＤＣセンサ２７から受信した検出信号に基づいてトナー像の濃度制御（例えば、現像器２６のトナー供給量の制御や光走査装置２４の露光量の制御など）を行う。また、本実施の形態に係る画像形成制御部８０は、ＡＤＣセンサ２７から受信した検出信号に基づいて、感光体ドラム２０にトナー像が形成されたか否かを示す情報（以下、「画像検出情報」という。）をＣＰＵ７０へ送信する。
【００３８】
これらＣＰＵ７０、ＲＯＭ７２、ＲＡＭ７４、ＨＤＤ７６、操作パネル７８、画像形成制御部８０、スキャナ制御部８２、ＦＡＸ送受信部８４、外部インタフェース８６は、システムバス８８を介して相互に電気的に接続されている。従って、ＣＰＵ７０は、ＲＯＭ７２、ＲＡＭ７４及びＨＤＤ７６へのアクセス、操作パネル７８に対する操作状態の把握や各種のメッセージ等の表示、画像形成制御部８０及びスキャナ制御部８２の動作の制御、ＦＡＸ送受信部８４を介したＦＡＸ画像情報の送受信、及び外部インタフェース８６を介した上記端末装置との各種情報の送受信を各々行なうことができる。
【００３９】
なお、本実施の形態に係る画像形成装置１０は、ＣＰＵ７０と光走査装置２４とが信号線９０で直接接続されており、光走査装置２４は当該信号線９０を介してＣＰＵ７０によって画像処理が施された画像情報を受信する。
【００４０】
次に、図４を参照して、本実施の形態に係る画像形成装置１０の作用を説明する。なお、図４は、ＦＡＸ送受信部８４によってＦＡＸ画像情報が受信可能とされている場合に、ＣＰＵ７０によって実行されるＦＡＸ画像形成プログラムの処理の流れを示すフローチャートであり、当該プログラムはＲＯＭ７２の所定領域に予め記憶されている。
【００４１】
まず、ステップ１００では、ＦＡＸ送受信部８４がＦＡＸ画像情報を受信するまで待機する。
【００４２】
次のステップ１０２では、ステップ１００において受信したＦＡＸ画像情報により示される画像（以下、「ＦＡＸ画像」という。）を形成可能な状態となるまで待機する。
【００４３】
なお、上記形成可能な状態とは、例えば、外部の端末装置から受信した画像情報や、スキャナ１２で取得した画像情報により示される画像の形成が実行されていない状態、画像形成装置１０に対するメンテナンスが実行されていない状態、画像形成に係る部位に不具合が生じていない状態等を満たした状態をいう。
【００４４】
ステップ１０４では、画像処理を施した試験画像情報を、信号線９０を介して光走査装置２４に送信し、感光体ドラム２０に試験画像が形成されるように画像形成制御部８０を制御する。
【００４５】
光走査装置２４は、ＣＰＵ７０から試験画像情報を受信すると、当該試験画像情報と画像形成制御部８０から受信した光量制御信号に基づいて、感光体ドラム２０の表面に静電潜像を形成する。そして、感光体ドラム２０の表面に形成された静電潜像は、現像器２６によって試験画像を示すトナー像に現像される。
【００４６】
次のステップ１０６では、感光体ドラム２０の表面に形成された試験画像がＡＤＣセンサ２７による検出位置に到達するまで待機する。
【００４７】
なお、本実施の形態に係る画像形成装置１０では、試験画像が上記検出位置に到達したか否かを判定する方法として、光走査装置２４が静電潜像の形成を開始してから感光体ドラム２０の表面に形成された試験画像を検出するまでの、予め定められた時間が経過したか否かを判定する方法を適用するが、これに限らず、予め感光体ドラム２０の表面に設けられたマークの位置に合わせて試験画像を形成し、上記マークの位置を検出することで、試験画像が検出位置に到達したか否かを判定する方法等、他の方法を適用してもよい。
【００４８】
次のステップ１０８では、ＡＤＣセンサ２７に上記検出位置における試験画像の検出を実行させ、画像形成制御部８０からＡＤＣセンサ２７から出力される検出信号に基づいた画像検出情報を受信する。
【００４９】
次のステップ１１０では、上記受信した画像検出情報が、試験画像が形成されたことを示しているか否かを判定し、肯定判定となった場合はステップ１１２へ移行する一方、否定判定となった場合はステップ１１４へ移行する。
【００５０】
ステップ１１２では、画像処理を施したＦＡＸ画像情報を、信号線９０を介して光走査装置２４に送信し、記録用紙ＰにＦＡＸ画像が形成されるように画像形成制御部８０を制御した後、本プログラムを終了する。
【００５１】
光走査装置２４は、ＣＰＵ７０からＦＡＸ画像情報を受信すると、当該ＦＡＸ画像情報と画像形成制御部８０から受信した光量制御信号に基づいて、感光体ドラム２０の表面に静電潜像を形成する。そして、感光体ドラム２０の表面に形成された静電潜像は、現像器２６によってトナー像に現像され、当該トナー像は記録用紙Ｐに転写、定着され、トナー像が転写、定着された記録用紙Ｐは排紙される。
【００５２】
一方、ステップ１１４では、画像形成制御部８０に画像を形成させないための所定処理を実行した後、本プログラムを終了する。
【００５３】
本実施の形態に係る画像形成装置１０は、上記所定処理として、図５に示すように、操作パネル７８の表示部７９に画像が形成されないことを示すメッセージを表示させることで、記録用紙ＰにＦＡＸ画像が形成されないことを報知する報知処理、及び画像形成制御部８０に対して画像の形成を中止させる信号を送信させることで、画像の形成を中止する中止処理を実行するが、これに限らず、上記報知処理及び中止処理の何れか一方を実行するとしてもよい。なお、図５に示すメッセージは、一例であり、ＦＡＸ画像情報の送信元の電話番号等、他のメッセージを表示してもよいことは言うまでも無い。また、図５に示すメッセージを画像形成装置１０に接続されている端末装置の表示部に表示させてもよい。また、上記報知処理として、予め定められた音（アラーム）を鳴らす処理等を実行してもよいし、上記中止処理として、画像形成装置１０への電力供給を停止する処理等を実行してもよい。
【００５４】
なお、本実施の形態に係る画像形成装置１０は、ＦＡＸ画像が記録用紙Ｐに形成されなかった場合、ＨＤＤ７６にＦＡＸ画像情報を記憶したままとし、画像形成装置１０が復旧してＦＡＸ画像が記録用紙Ｐに形成された後、又はユーザによって消去指示が入力された場合にＨＤＤ７６からＦＡＸ画像情報を消去する。
［第２の実施の形態］
本第２の実施の形態では、感光体ドラム２０に画像が形成されたか否かを判定するための検出対象を、ＦＡＸ画像とする場合の形態例について説明する。
【００５５】
図６には、本第２の実施の形態に係る画像形成装置１０’の全体構成が示されている。なお、図６における図１と同一の構成部分については図１と同一の符号を付して、その説明を省略する。
【００５６】
画像形成装置１０’は、イエロー（Ｙ）、マゼンタ（Ｍ）、シアン（Ｃ）、及びブラック（Ｋ）毎に、現像器２６Ｙ，２６Ｍ，２６Ｃ，２６Ｋを備えている。なお、以下の説明において、Ｙ，Ｍ，Ｃ，Ｋを区別する場合は、符号の後にＹ，Ｍ，Ｃ，Ｋのいずれかを付して説明し、Ｙ，Ｍ，Ｃ，Ｋを区別しない場合は、Ｙ，Ｍ，Ｃ，Ｋを省略する。
【００５７】
各現像器２６は、感光体ドラム２０に形成された対応する静電潜像を現像して、各色のトナー像を形成する。
【００５８】
そして、感光体ドラム２０の表面に形成されているＹ，Ｍ，Ｃ，Ｋ各々のトナー像は、中間転写ベルト２８に重なり合うように転写され、中間転写ベルト２８にカラー画像が形成される。
【００５９】
また、感光体ドラム２０の現像器２６によって静電潜像が現像される位置よりも回転方向下流側に、レジずれ検出センサ９２が、感光体ドラム２０の表面における画像形成領域の左右及び中央に対向して配置されている。レジすれ検出センサ９２は、感光体ドラム２０の表面に形成されたトナー像を検出することで、トナー像の正規の位置からのずれ（以下、「レジずれ」という。）を検出する。また、レジすれ検出センサ９２は、トナー像のレジずれの量を示す検出信号を後述する画像形成制御部８０’に送信する。
【００６０】
なお、本第２の実施の形態に係る画像形成装置１０’は、レジずれ検出センサ９２として、ＣＣＤ（Charge Coupled Device）エリアセンサ、ＣＭＯＳ（Complementary Metal−Oxide Semiconductor）イメージセンサ等の固体撮像素子を適用するが、これに限らず、図２で示したＡＤＣセンサ構成と同一のセンサを適用してもよい。
【００６１】
次に、図７を参照して、本第２の実施の形態に係る画像形成装置１０’ の電気系の要部構成を説明する。なお、図７における図３と同一の構成部分については図３と同一の符号を付して、その説明を省略する。
【００６２】
本第２の実施の形態に係る画像形成制御部８０’は、レジずれ検出センサ９２と接続され、レジずれ検出センサ９２から受信した検出信号に基づいてレジずれの補正を行う。また、本実施の形態に係る画像形成制御部８０’は、レジずれ検出センサ９２から受信した検出信号に基づいて、感光体ドラム２０にトナー像が形成されたか否かを示す情報（以下、「画像検出情報」という。）をＣＰＵ７０へ送信する。
【００６３】
次に、図８を参照して、本第２の実施の形態に係る画像形成装置１０’の作用を説明する。なお、図８は、ＦＡＸ送受信部８４によってＦＡＸ画像情報が受信可能とされている場合に、ＣＰＵ７０によって実行されるＦＡＸ画像形成プログラムの処理の流れを示すフローチャートであり、当該プログラムはＲＯＭ７２の所定領域に予め記憶されている。また、第１の実施の形態に係る図４のフローチャートと同一の処理を行なうステップについては図４と同一の符号を付して説明をその省略する。
【００６４】
ステップ１０３’では、画像処理を施したＦＡＸ画像情報を、信号線９０を介して光走査装置２４に送信し、感光体ドラム２０にＦＡＸ画像が形成されるように画像形成制御部８０’を制御する。
【００６５】
光走査装置２４は、ＣＰＵ７０からＦＡＸ画像情報を受信すると、当該ＦＡＸ画像情報と画像形成制御部８０’から受信した光量制御信号に基づいて、感光体ドラム２０の表面に静電潜像を形成する。そして、感光体ドラム２０の表面に形成された静電潜像は、現像器２６によってＦＡＸ画像を示すトナー像に現像される。
【００６６】
次のステップ１０６’では、感光体ドラム２０の表面に形成されたＦＡＸ画像がレジずれ検出センサ９２による検出位置に到達するまで待機する。
【００６７】
次のステップ１０８’では、レジずれ検出センサ９２に上記検出位置におけるＦＡＸ画像の検出を実行させ、画像形成制御部８０’からレジずれ検出センサ９２から出力される検出信号に基づいた画像検出情報を受信する。
【００６８】
次のステップ１１０’では、上記受信した画像検出情報が、ＦＡＸ画像が形成されたことを示しているか否かを判定し、肯定判定となった場合はステップ１１１へ移行し、ステップ１１１でＦＡＸ画像の形成を継続し、記録用紙Ｐに対する全てのＦＡＸ画像の形成が終了した後、本プログラムを終了する。
【００６９】
一方、ステップ１１０’において否定判定となった場合はステップ１１４へ移行し、画像形成制御部８０’に画像を形成させないための所定処理を実行した後、本プログラムを終了する。
【００７０】
以上、本発明を上記各実施の形態を用いて説明したが、本発明の技術的範囲は上記各実施の形態に記載の範囲には限定されない。発明の要旨を逸脱しない範囲で上記各実施の形態に多様な変更または改良を加えることができ、当該変更または改良を加えた形態も本発明の技術的範囲に含まれる。
【００７１】
また、上記各実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における組み合わせにより種々の発明を抽出できる。上記各実施の形態に示される全構成要件から幾つかの構成要件が削除されても、効果が得られる限りにおいて、この幾つかの構成要件が削除された構成が発明として抽出され得る。
【００７２】
例えば、上記各実施の形態では、検出対象とする画像を感光体ドラム２０に形成されたトナー像とする場合について説明したが、本発明はこれに限定されるものではなく、記録用紙Ｐに形成された画像を検出する形態としてもよい。
【００７３】
また、上記各実施の形態では、光走査装置２４として、レーザダイオードから光ビームを照射するものを適用した場合について説明したが、本発明はこれに限定されるものではなく、感光体ドラム２０の表面に対向して主走査方向に沿って配列された複数のＬＥＤを備え、当該ＬＥＤから画像情報に基づいた光を出射することで、感光体ドラム２０の表面に静電潜像を形成する形態としてもよい。
【００７４】
また、上記各実施の形態では、信号線９０を介してＣＰＵ７０から光走査装置２４に画像情報が送信される場合について説明したが、本発明はこれに限定されるものではなく、画像形成制御部８０を介してＣＰＵ７０から光走査装置２４に画像情報が送信される形態としてもよい。
【００７５】
その他、上記各実施の形態で説明した画像形成装置１０の構成（図１〜図３、図６、図７参照。）は一例であり、本発明の主旨を逸脱しない範囲内において不要な部分を削除したり、新たな部分を追加したりすることができることは言うまでもない。
【００７６】
また、上記各実施の形態で説明したＦＡＸ画像形成プログラムの処理の流れ（図４及び図８参照。）も一例であり、本発明の主旨を逸脱しない範囲内において不要なステップを削除したり、新たなステップを追加したり、処理順序を入れ替えたりすることができることは言うまでもない。
【図面の簡単な説明】
【００７７】
【図１】第１の実施の形態に係る画像形成装置の破断側面図である。
【図２】第１の実施の形態に係るＡＤＣセンサの概略構成図である。
【図３】第１の実施の形態に係る画像形成装置の電気系の要部構成を示すブロック図である。
【図４】第１の実施の形態に係るＦＡＸ画像形成プログラムの処理の流れを示すフローチャートである。
【図５】第１の実施の形態に係る操作パネルの表示部に表示されるメッセージの一例を示す図である。
【図６】第２の実施の形態に係る画像形成装置の破断側面図である。
【図７】第２の実施の形態に係る画像形成装置の電気系の要部構成を示すブロック図である。
【図８】第２の実施の形態に係るＦＡＸ画像形成プログラムの処理の流れを示すフローチャートである。
【符号の説明】
【００７８】
１０    画像形成装置
２０    感光体ドラム（画像形成媒体）
２７    ＡＤＣセンサ（検出手段）
７０    ＣＰＵ（制御手段、処理実行手段）
７８    操作パネル（表示手段）
８０    画像形成制御部（画像形成手段）
８３    通信回線
８４    ＦＡＸ送受信部（受信手段）
９２    レジずれ検出センサ（検出手段）
【図１】
2009303028.tif 000003
【図２】
2009303028.tif 000004
【図３】
2009303028.tif 000005
【図４】
2009303028.tif 000006
【図５】
2009303028.tif 000007
【図６】
2009303028.tif 000008
【図７】
2009303028.tif 000009
【図８】
2009303028.tif 000010